(57)【要約】本発明は、ベゼルの目立たない透光性カバーを備えたマルチスクリーンディスプレイ装置に関し、画面表示部１１とベゼル１２とからなるマルチスクリーンディスプレイ装置において、背面１１０ａと前面１１０ｃと側面１１０ｂとで構成され、側面１１０ｂは、外向きに傾斜形成され、画面表示部１１をカバーするように、画面表示部１１に設けられる複数の透光性カバー１１０をさらに有し、透光性カバー１１０は、隣接した透光性カバー１１０と前面１１０ｃの外周縁１１０ｃ’が相接して画面表示部１１に設けられ、隣接した透光性カバー１１０の傾斜形成された１対の側面１１０ｂ間にベゼル１２が位置するように、透光性カバー１１０が画面表示部１１に設けられることを特徴とし、これによると、ベゼルが目立たないようになるという利点がある。【選択図】図５
2017501433.tif 000002
【特許請求の範囲】
【請求項１】
複数の画面表示部１１と、前記画面表示部１１の間に形成されたベゼル１２と、からなるマルチスクリーンディスプレイ装置において、
前記画面表示部１１と対向する背面１２０ａと、前記背面１２０ａの反対側面である前面１２０ｃと、前記前面１２０ｃと背面１２０ａを連結する側面１２０ｂと、で構成され、前記側面１２０ｂは、前方へ行くほど外向きに広がるように傾斜形成されており、前記画面表示部１１に１対１で対応され、画面表示部１１をカバーするように、画面表示部１１の前面に設けられる複数の透光性カバー１２０をさらに有し、
前記複数の透光性カバー１２０は、隣接した透光性カバーの前面１２０ｃの外周縁１２０ｃ’が相接して画面表示部１１に設けられ、
前記ベゼル１２が目立たないようにするために、隣接した透光性カバー１２０の傾斜形成された対向する１対の側面１２０ｂ間にベゼル１２が位置するように、透光性カバー１２０が画面表示部１１に設けられ、
前記透光性カバー１２０の背面１２０ａの外側には、背面傾斜部１２０ａ‐１が前方に面状傾斜して形成され、前記背面傾斜部１２０ａ‐１から内側に折り曲げられ、背面平坦部１２０ａ‐２が平坦形成されており、
前記透光性カバー１２０の前面１２０ｃの外側には、前面傾斜部１２０ｃ‐１が前方に面状傾斜して形成され、前記背面傾斜部１２０ｃ‐１から内側に折り曲げられ、背面平坦部１２０ｃ‐２が平坦形成されており、
前記画面表示部１１と透光性カバー１２０の背面１２０ａとの間には、離隔空間Ｓａが形成されていることを特徴とするベゼルの目立たない透光性カバーを備えたマルチスクリーンディスプレイ装置。
【請求項２】
前記画面表示部１１に対して前記透光性カバー１２０の側面１２０ｂがなす角度βが９５°＜β≦１２５°となるように、前記透光性カバー１２０が画面表示部１１に設けられることを特徴とする請求項１に記載のベゼルの目立たない透光性カバーを備えたマルチスクリーンディスプレイ装置。
【請求項３】
前記画面表示部１１に対して前記透光性カバー１２０の側面１２０ｂがなす角度βと、前記画面表示部１１に対して前記透光性カバー１２０の背面１２０ａの背面傾斜部１２０ａ‐１がなす角度αと、前記画面表示部１１に対して前記透光性カバー１２０の前面１２０ｃの前面傾斜部１２０ｃ‐１がなす角度γと、利用者が画面を見る角度（視線角）との和が１８０〜２６０゜を維持するように、前記透光性カバー１２０が前記画面表示部１１に設けられることを特徴とする請求項２に記載のベゼルの目立たない透光性カバーを備えたマルチスクリーンディスプレイ装置。
【請求項４】
前記画面表示部１１に対して前記透光性カバー１２０の前面１２０ｃの前面傾斜部１２０ｃ‐１がなす角度γが０°＜γ≦４５°となるように、前記透光性カバー１２０が画面表示部１１に設けられることを特徴とする請求項１に記載のベゼルの目立たない透光性カバーを備えたマルチスクリーンディスプレイ装置。
【請求項５】
前記画面表示部１１に対して前記透光性カバー１２０の背面１２０ａの背面傾斜部１２０ａ‐１がなす角度αが０°＜α≦４５°となるように、前記透光性カバー１２０が画面表示部１１に設けられることを特徴とする請求項１に記載のベゼルの目立たない透光性カバーを備えたマルチスクリーンディスプレイ装置。
【請求項６】
前記側面１２０ｂには、全反射が容易に起こるように、反射物質がコートされていることを特徴とする請求項１に記載のベゼルの目立たない透光性カバーを備えたマルチスクリーンディスプレイ装置。
【請求項７】
前記透光性カバー１２０は、アクリル樹脂、ガラス、水晶の中から選ばれたいずれか一つで構成されることを特徴とする請求項１に記載のベゼルの目立たない透光性カバーを備えたマルチスクリーンディスプレイ装置。
【請求項８】
複数の画面表示部１１と、前記画面表示部１１の間に形成されたベゼル１２と、からなるマルチスクリーンディスプレイ装置において、
前記画面表示部１１と対向する背面１３０ａと、前記背面１３０ａの反対側面である前面１３０ｃと、前記前面１３０ｃと背面１３０ａを連結する側面１３０ｂと、で構成され、前記側面１３０ｂは、前方へ行くほど外向きに広がるように傾斜形成されており、前記画面表示部１１に１対１で対応され、画面表示部１１をカバーするように、画面表示部１１の前面に設けられる複数の透光性カバー１３０をさらに有し、
前記複数の透光性カバー１３０は、隣接した透光性カバーの前面１３０ｃの外周縁１３０ｃ’が相接して画面表示部１１に設けられ、
前記ベゼル１２が目立たないようにするために、隣接した透光性カバー１３０の傾斜形成された対向する１対の側面１３０ｂ間にベゼル１２が位置するように、透光性カバー１３０が画面表示部１１に設けられ、
前記透光性カバーの前面１３０ｃと背面１３０ａが曲面状に湾曲して前方側に膨らんで形成されており、
前記画面表示部１１と透光性カバー１３０の背面１３０ａとの間には、離隔空間Ｓｂが形成されていることを特徴とするベゼルの目立たない透光性カバーを備えたマルチスクリーンディスプレイ装置。
【請求項９】
前記画面表示部１１に対して透光性カバー１３０の側面１３０ｂがなす角度βが９５°＜β≦１２５°となるように、前記透光性カバー１３０が画面表示部１１に設けられることを特徴とする請求項８に記載のベゼルの目立たない透光性カバーを備えたマルチスクリーンディスプレイ装置。
【請求項１０】
前記画面表示部１１に対して前記透光性カバー１３０の側面１３０ｂがなす角度βと、前記画面表示部１１に対して前記透光性カバー１３０の背面１３０ａがなす角度αと、前記画面表示部１１に対して前記透光性カバー１３０の前面１３０ｃがなす角度γと、利用者が画面を見る角度（視線角）との和が１８０〜２６０゜を維持するように、前記透光性カバー１３０が前記画面表示部１１に設けられることを特徴とする請求項９に記載のベゼルの目立たない透光性カバーを備えたマルチスクリーンディスプレイ装置。
【請求項１１】
前記画面表示部１１に対して前記透光性カバー１３０の前面１３０ｃがなす角度γが０°＜γ≦４５°となるように、前記透光性カバー１３０が画面表示部１１に設けられることを特徴とする請求項８に記載のベゼルの目立たない透光性カバーを備えたマルチスクリーンディスプレイ装置。
【請求項１２】
前記画面表示部１１に対して前記透光性カバー１３０の背面１３０ａがなす角度αが０°＜α≦４５°となるように、前記透光性カバー１３０が前記画面表示部１１に設けられることを特徴とする請求項８に記載のベゼルの目立たない透光性カバーを備えたマルチスクリーンディスプレイ装置。
【請求項１３】
前記透光性カバー１３０の側面１３０ｂには、全反射が容易に起こるように、反射物質がコートされていることを特徴とする請求項８に記載のベゼルの目立たない透光性カバーを備えたマルチスクリーンディスプレイ装置。
【請求項１４】
前記透光性カバー１３０は、アクリル樹脂、ガラス、水晶の中から選ばれたいずれか一つで構成されることを特徴とする請求項８に記載のベゼルの目立たない透光性カバーを備えたマルチスクリーンディスプレイ装置。
【請求項１５】
複数の画面表示部１１と、前記画面表示部１１の間に形成されたベゼル１２と、からなるマルチスクリーンディスプレイ装置において、
前記画面表示部１１と対向する背面１１０ａと、前記背面１１０ａの反対側面である前面１１０ｃと、前記前面１１０ｃと背面１１０ａを連結する側面１１０ｂと、で構成され、前記側面１１０ｂは、前方へ行くほど外向きに広がるように傾斜形成されており、前記画面表示部１１に１対１で対応され、画面表示部１１をカバーするように、画面表示部１１の前面に設けられる複数の透光性カバー１１０をさらに有し、
前記複数の透光性カバー１１０は、隣接した透光性カバー１１０と前面１１０ｃの外周縁１１０ｃ’が相接して画面表示部１１に表示され、
前記ベゼル１２が目立たないようにするために、隣接した透光性カバー１１０の傾斜形成された対向する１対の側面１１０ｂ間に前記ベゼル１２が位置するように、透光性カバー１１０が画面表示部１１に設けられることを特徴とするベゼルの目立たない透光性カバーを備えたマルチスクリーンディスプレイ装置。
【発明の詳細な説明】
【技術分野】
【０００１】
本発明は、マルチスクリーンディスプレイ装置に関し、特に、本願発明特有の透光性カバーを公知のマルチスクリーンディスプレイ装置に設置し、錯視現象によりベゼルが目立たないようにすることにより、画面の画像が断絶されず、連続性を具現可能にし、さらには、正面から見える画面のみならず、商用化のために必須である視野角を極大化し、日常的な商業用に適合したベゼルの目立たない透光性カバーを備えたマルチスクリーンディスプレイ装置に関する。
【背景技術】
【０００２】
一般に、ＬＣＤ（Ｌｉｑｕｉｄ  Ｃｒｙｓｔａｌ  Ｄｉｓｐｌａｙ）やＰＤＰ（Ｐｌａｓｍａ  Ｄｉｓｃｈａｒｇｅ  Ｐａｎｅｌ）のような平板ディスプレイ装置は、高解像度の具現が容易であり、高画質・大画面のディスプレイ装置として多様な長所を有している。
【０００３】
しかし、大型画面のディスプレイ装置は、製造上の問題により、大型画面を生産するのに多くの製造費用と、画面表示部（ディスプレイパネル）の大きさに限界があった。
【０００４】
図１には、一般の多重画面表示部１１を用いたマルチスクリーンディスプレイ装置１０が例示的に示されている。図示のように、複数個の約４０インチ以上の画面表示部（ディスプレイパネル）１１を多数の行と列を有するように配置し、マルチスクリーンディスプレイ装置１０を構成する。このとき、図示していないが、それぞれの画面表示部１１は、液晶が封入され、またはプラズマガスが封入された多層のガラス基板と、ガラス基板の後方に設けられ、光を照射するＢＬU（Ｂａｃｋ  Ｌｉｇｈｔ  Ｕｎｉｔ）と、で構成される。また、各画面表示部１１の外郭と、その間の境界には、シャシのような外装構成品であるベゼル１２が設けられる。
【０００５】
ベゼルとの用語は、もともと時計のガラスを固定させる枠を意味したが、現在はＬＣＤ等の様々なモニタにおける画面表示部の枠を意味する用語として用いられる。
【０００６】
通常、ガラス基板の外郭には、ドライブＩＣやその他の印刷回路等が設けられる領域が存在し、この領域は、映像が表示されない領域である。また、多層のガラス基板とＢＬＵを組み立てるために、シャシ等の外装構成品が設けられる。したがって、図示のように、画面表示部１１の前面部の外郭及び境界において、不可避にベゼル１２が相当な領域を占め、ベゼル１２が存在する領域、すなわち、画面表示部１１間の相接する境界部において映像が表示されない領域が発生してしまう。
【０００７】
特に、以前とは異なり、ベゼルへの関心が高まったのは、数台のＬＣＤのようなモニタが必要なマルチスクリーンにおいて、ベゼル、すなわち、枠による列間隔が生じることにより、映像情報を伝えるのに多くの問題が引き起こされたからである。
【０００８】
このようなベゼル領域における画面が断絶されるという問題点を解決するために開発された技術が、特許文献１に開示されている。
【０００９】
上記特許文献１による技術は、離隔部位１２０のパターンと同一のパターンで離隔部位１２０に設置され、画面から表示される映像を反射させ、離隔部位１２０の大きさほど外部に露出させる反射器１３０を採用したことを核心要旨としているが、詳細な技術内容は、その公開広報にあるので、詳細な説明を省略する。
【００１０】
しかしながら、上記特許文献１による技術は、下記のような問題点があった。
【００１１】
実際に、上記特許文献１による技術を具現する場合、当該公開公報の図面に示したように、反射器で反射されず、黒色のベゼル部分がそのまま見えるという問題があった。また、反射器の頂部を下向きに配置しても、同一の問題、すなわち、ベゼルがそのまま見えてしまうという問題は解決されなかった。
【先行技術文献】
【特許文献】
【００１２】
【特許文献１】大韓民国公開特許第１０‐２０１１‐００６５６２７号（公開日：２０１１年６月１６日、名称：マルチビジョンのスクリーン装置）公報
【発明の概要】
【発明が解決しようとする課題】
【００１３】
本発明は、上記問題点に鑑みなされたものであり、その目的は、
第一、マルチスクリーンディスプレイ装置の画面表示部に１対１で透光性カバーが設けられるが、透光性カバーが、画面表示部の一部だけをカバーするのではなく、画面表示部の全体をカバーすることにより、ベゼルが視覚的に目立たないようにするとともに、画面表示部を保護することができ、
第二、映像データの電子回路的またはプログラム的な処理方式によりベゼルが目立たないようにするのではなく、側面が傾斜した透光性カバーを張り合わせ、張り合わせた１対の透光性カバーの対向側面が形成する空間部内にベゼルが位置するように、透光性カバーを画面表示部に配置し、ベゼルが目立たないようにすることにより、簡単かつシンプルな透光性カバーの構成のみで、ベゼルが目立たないようにし、これによりベゼルが目立たないようにするための製品の原価を画期的に低くすることができ、
第三、透光性カバーの対向側面が形成する空間部内にベゼルが位置するように、透光性カバーを画面表示部に配置するが、透光性カバーの側面と背面及び前面が画面表示部に対して設定された角度の範囲にあるように、透光性カバーを画面表示部に配置することにより、ベゼルが目立たないようにするのはもとより、側面に画面表示部の絵（画面）を反射させ、側面にまるで画面表示部のように画面が正常的に表示されるように利用者に見せることができ、
第四、透光性カバーの側面には、画面表示部のように実際映像が表示されるのではなく、画面表示部に表示される映像（画面）が反射された映像（絵）が表示されるが、側面の面積が広くなく、画面表示部に表示される映像が主に動的映像であることを考慮すると、利用者は、側面に見える反射された映像も、まるで実際映像であるように、視覚的錯視を引き起こし、その結果、利用者は、ディスプレイ装置の全体にわたって画面が断絶された感じを与えない完全な映像が表示されるように認識し、ディスプレイの映像提供環境を向上させることができ、
第五、透光性カバーの幾何光学的な形状の特徴により、画面表示部の映像を透光性カバーの側面に全反射させることにより、ベゼルが視覚的に見えないようにし、
第六、透光性カバーの幾何学的形状により、画面表示部との間に離隔空間を形成し、画面表示部から発生する熱を放熱する放熱空間として用いることにより、画面表示部の熱損傷を減らすことができ、
第七、離隔空間に広報物を挟み込むことができ、
第八、透光性カバーの前面と背面の外側に前方へ面状傾斜して形成し、または透光性カバーの前面と背面を曲面状に湾曲して前方側に膨らんで形成することにより、ベゼルが目立たない視野角が側面において遥かに大きくなり、側面からみてもベゼルが目立たないようにすることができ、
第九、ベゼルが目立たない視野角を極大化することにより、商用化に必須の広い視野角を確保することができ、大衆化及び商業化の成功可能性を高めるのに適当な、ベゼルの目立たない透光性カバーを備えたマルチスクリーンディスプレイ装置を提供することにある。
【課題を解決するための手段】
【００１４】
上記の目的を達成するために、本発明に係るベゼルの目立たない透光性カバーを備えたマルチスクリーンディスプレイ装置は、複数の画面表示部と、前記画面表示部の間に形成されたベゼルと、からなるマルチスクリーンディスプレイ装置において、前記画面表示部と対向する背面と、前記背面の反対側面である前面と、前記前面と背面を連結する側面と、で構成され、前記側面は、前方へ行くほど外向きに広がるように傾斜形成されており、前記画面表示部に１対１で対応され、画面表示部をカバーするように、画面表示部の前面に設けられる複数の透光性カバーをさらに有し、前記複数の透光性カバーは、隣接した透光性カバーの前面の外周縁が相接して画面表示部に設けられ、前記ベゼルが目立たないようにするために、隣接した透光性カバーの傾斜形成された対向する１対の側面間にベゼルが位置するように、透光性カバーが画面表示部に設けられ、前記透光性カバーの背面の外側には、背面傾斜部が前方に面状傾斜して形成され、前記背面傾斜部から内側に折り曲げられ、背面平坦部が平坦形成されており、前記透光性カバーの前面の外側には、前面傾斜部が前方に面状傾斜して形成され、前記背面傾斜部から内側に折り曲げられ、背面平坦部が平坦形成されており、前記画面表示部と透光性カバーの背面との間には、離隔空間 が形成されていることを特徴とする。
【００１５】
上記の目的を達成するために、本発明に係るベゼルの目立たない透光性カバーを備えたマルチスクリーンディスプレイ装置は、複数の画面表示部と、前記画面表示部の間に形成されたベゼルと、からなるマルチスクリーンディスプレイ装置において、前記画面表示部と対向する背面と、前記背面の反対側面である前面と、前記前面と背面を連結する側面と、で構成され、前記側面は、前方へ行くほど外向きに広がるように傾斜形成されており、前記画面表示部に１対１で対応され、画面表示部をカバーするように、画面表示部の前面に設けられる複数の透光性カバーをさらに有し、前記複数の透光性カバーは、隣接した透光性カバーの前面の外周縁が相接して画面表示部に設けられ、前記ベゼルが目立たないようにするために、隣接した透光性カバーの傾斜形成された対向する１対の側面間にベゼルが位置するように、透光性カバーが画面表示部に設けられ、前記透光性カバーの前面と背面が曲面状に湾曲して前方側に膨らんで形成されており、前記画面表示部と透光性カバーの背面との間には、離隔空間 が形成されていることを特徴とする。
【００１６】
上記の目的を達成するために、本発明に係るベゼルの目立たない透光性カバーを備えたマルチスクリーンディスプレイ装置は、複数の画面表示部と、前記画面表示部の間に形成されたベゼルと、からなるマルチスクリーンディスプレイ装置において、前記画面表示部と対向する背面と、前記背面の反対側面である前面と、前記前面と背面を連結する側面と、で構成され、前記側面は、前方へ行くほど外向きに広がるように傾斜形成されており、前記画面表示部に１対１で対応され、画面表示部をカバーするように、画面表示部の前面に設けられる複数の透光性カバーをさらに有し、前記複数の透光性カバーは、隣接した透光性カバーと前面の外周縁が相接して画面表示部に表示され、前記ベゼルが目立たないようにするために、隣接した透光性カバーの傾斜形成された対向する１対の側面間に前記ベゼルが位置するように、透光性カバーが画面表示部に設けられることを特徴とする。
【発明の効果】
【００１７】
本発明によれば、下記のような効果がある。
【００１８】
第一、マルチスクリーンディスプレイ装置の画面表示部に１対１で透光性カバーが設けられるが、透光性カバーが、画面表示部の一部だけをカバーするのではなく、画面表示部の全体をカバーすることにより、ベゼルが視覚的に目立たないようにするとともに、画面表示部を保護することができる。
【００１９】
第二、映像データの電子回路的またはプログラム的な処理方式によりベゼルが目立たないようにするのではなく、側面が傾斜した透光性カバーを張り合わせ、張り合わせた１対の透光性カバーの対向側面が形成する空間部内にベゼルが位置するように、透光性カバーを画面表示部に配置し、ベゼルが目立たないようにすることにより、簡単な構成で、ベゼルが目立たないようにし、これによりベゼルが目立たないようにするための製品構成の原価を低くすることができる。
【００２０】
第三、透光性カバーの対向側面が形成する空間部内にベゼルが位置するように、透光性カバーを画面表示部に配置するが、透光性カバーの側面と背面及び前面が画面表示部に対して設定された角度の範囲にあるように、透光性カバーを画面表示部に配置することにより、ベゼルが目立たないようにするのはもとより、側面に画面表示部の絵（画面）を反射させ、側面にまるで画面表示部のように画面が正常的に表示されるように利用者に見せることができる。
【００２１】
第四、透光性カバーの側面には、画面表示部のように実際の映像が表示されるのではなく、画面表示部に表示される映像（画面）が反射された映像（絵）が表示されるが、側面の面積が広くなく、画面表示部に表示される映像が主に動的映像であることを考慮すると、利用者は、側面に見える反射された映像も、まるで実際映像であるように、視覚的錯視を引き起こし、その結果、利用者は、ディスプレイ装置の全体にわたって画面が断絶された感じを与えない完全な映像が表示されるように認識するようになり、ディスプレイの映像提供環境を向上させることができる。
【００２２】
第五、透光性カバーの幾何光学的な形状の特徴により、画面表示部の映像を透光性カバーの側面に全反射させることにより、ベゼルが視覚的に見えないようにすることができる。
【００２３】
第六、透光性カバーの幾何学的形状により、画面表示部との間に離隔空間を形成し、画面表示部から発生する熱を放熱する放熱空間として用いることにより、画面表示部の熱損傷を減らすことができる。
【００２４】
第七、離隔空間に広報物を挟み込むことができる。
【００２５】
第八、透光性カバーの前面と背面の外側に前方へ面状傾斜して形成し、または透光性カバーの前面と背面を曲面状に湾曲して前方側に膨らんで形成することにより、ベゼルが目立たない視野角が側面において遥かに大きくなり、側面からみてもベゼルが目立たないようにすることができる。
【００２６】
第九、ベゼルが目立たない視野角を極大化することにより、商用化に必須の広い視野角を確保することができ、大衆化及び商業化の成功可能性を高めることができる。
【図面の簡単な説明】
【００２７】
【図１】一般のマルチスクリーンディスプレイ装置を示した概念図である。
【図２】本発明の第１実施例によるベゼルの目立たない透光性カバー１１０が設けられたマルチスクリーンディスプレイ装置を示した断面概念構成図である。
【図３】図２の要部拡大図である。
【図４】本発明の第２実施例による透光性カバー１２０が設けられたマルチスクリーンディスプレイ装置を示した断面概念構成図である。
【図５】図４の要部拡大図である。
【図６】本発明の第３実施例による透光性カバー１３０が設けられたマルチスクリーンディスプレイ装置を示した断面概念構成図である。
【図７】図６の要部拡大図である。
【図８】本発明の第３実施例による透光性カバー１３０のモデリングを示した底面斜視図である。
【図９】本発明の第２及び３実施例による透光性カバー１２０、１３０の視野角が、本発明の第１実施例による透光性カバー１１０の視野角θよりもさらに広くなる理由を説明するための説明図である。
【図１０】本発明の第２及び３実施例による透光性カバー１２０、１３０の視野角が、本発明の第１実施例による透光性カバー１１０の視野角θよりもさらに広くなる理由を説明するための説明図である。
【図１１】本発明の一実施例によるベゼルの目立たない透光性カバー１１０、１２０、１３０のない状態で、テスト用ベゼル１２と画面表示部１１を示した実験写真である。
【図１２】図１１において、本発明の一実施例によるベゼルの目立たない透光性カバー１１０、１２０、１３０を、ベゼル１２を中心として１対配置した場合において、利用者が９０°の位置（ちょうど中央の位置）から見る場合の使用状態図であって、ベゼル１２が目立っていないことを示す実験写真である。
【図１３】図１２において、利用者が右側に約３０度傾けて見る場合の実験写真である。
【図１４】図１３において、利用者が右側にさらに傾けて最外角の視線角から外れて見る場合の実験写真である。
【図１５】図１３の対称的角度から見た写真である。
【図１６】図１３の対称的角度から見た写真である。
【図１７】一般のマルチスクリーンディスプレイ装置の画面表示部に映像が表示される状態で、本発明の一実施例によるベゼルの目立たない透光性カバーが画面表示部に設けられなかった場合の画面写真である。
【図１８】図１７の画面部に、本発明の一実施例によるベゼルの目立たない透光性カバーが設けられた場合の画面写真である。
【発明を実施するための形態】
【００２８】
以下、添付した図面を参照して、本発明の好適な実施例について詳述する。
【００２９】
本明細書に記載の「視線角θ」とは、利用者がディスプレイ装置を見る角度であって、図３に示したｘ軸を基準として（したがって、ｘ軸の視線角＝０°）時計方向に視線角の値が大きくなる。
【００３０】
本明細書に記載の「最外角の視線角」とは、透光性カバー１１０、１２０、１３０の側面１１０ｂ、１２０ｂ、１３０ｂ（周りに沿って形成された面として周面である）に現れる画面表示部の映像の反射された映像を、ちょうど中央（視線角θ＝９０°）を基準として利用者が見られる最外角の値である。例えば、ｘ軸における最外角の視線角の値がθｍであれば、−ｘ軸における最外角の視線角の値は１８０−θｍ°となる。
【００３１】
したがって、前記最外角の視線角の範囲内で、利用者がディスプレイ装置を見ると、側面１１０ｂ、１２０ｂ、１３０ｂに反射されて表示される画面表示部１１の映像を見ることができ、その結果、透光性カバー１１０、１２０、１３０の側面１１０ｂ、１２０ｂ、１３０ｂにも、まるで映像が表示されるように利用者が視覚的に認識することになる。
【００３２】
また、本発明の一実施例において、最外角の視線角は、ｘ軸方向では、例えば、３０°であり、−ｘ軸方向では（１８０−３０°）である。
【００３３】
本発明の第１、２、３実施例によるベゼルの目立たない透光性カバーを備えたマルチスクリーンディスプレイ装置は、複数の画面表示部１１と、画面表示部１１間に形成されたベゼル１２と、からなるマルチスクリーンディスプレイ装置において、前記画面表示部１１と対向する背面１１０ａ、１２０ａ、１３０ａと、前記背面１１０ａ、１２０ａ、１３０ａの反対側面である前面１１０ｃ、１２０ｃ、１３０ｃと、前記前面１１０ｃ、１２０ｃ、１３０ｃと背面１１０ａ、１２０ａ、１３０ａを連結する側面１１０ｂ、１２０ｂ、１３０ｂと、で構成され、前記側面１１０ｂ、１２０ｂ、１３０ｂは、背面１１０ａ、１２０ａ、１３０ａから前面１１０ｃ、１２０ｃ、１３０ｃに向かう方向である前方へ行くほど外向きに広がるように傾斜形成、すなわち、前面１１０ｃ、１２０ｃ、１３０ｃが背面１１０ａ、１２０ａ、１３０ａよりも広くなるように、側面１１０ｂ、１２０ｂ、１３０ｂが傾斜形成されており、前記画面表示部１１に１対１で対応され、画面表示部１１の全体をカバーするように、画面表示部１１の前面に設けられる複数の透光性カバー１１０、１２０、１３０をさらに有することを特徴とする。
【００３４】
前記複数の透光性カバー１１０、１２０、１３０は、隣接した透光性カバー１１０、１２０、１３０の前面１１０ｃ、１２０ｃ、１３０ｃの外周縁１１０ｃ’、１２０ｃ’、１３０ｃ’が相接して画面表示部１１に設けられ、前記ベゼル１２が目立たないようにするために、隣接した透光性カバー１１０、１２０、１３０の傾斜形成された対向する１対の側面１１０ｂ、１２０ｂ、１３０ｂ間の空間、すなわち、対向する側面１１０ｂ、１２０ｂ、１３０ｂがなす空間部Ｓ１にベゼル１２が位置するように、透光性カバー１１０、１２０、１３０が画面表示部１１に設けられることを特徴とする。
【００３５】
このような構成によると、利用者がマルチスクリーンディスプレイ装置を見るとき、ベゼル１２が目立たないようになる利点があり、また、最外角の視線角内で見ると、ベゼル１２が目立たないのみならず、まるで側面１１０ｂ、１２０ｂ、１３０ｂにも画面が表示されるように視覚的に見え、特に、画面表示部１１の全体をカバーするようになることにより、ディスプレイ装置の全体にわたって映像の断絶のないように認識される。
【００３６】
本発明の第１、２、３実施例によるベゼルの目立たない透光性カバーを備えたマルチスクリーンディスプレイ装置において、前記画面表示部１１に対して透光性カバー１１０、１２０、１３０の側面１１０ｂ、１２０ｂ、１３０ｂがなす角度βが９５°よりは大きく１２５°以下（９５°＜β≦１２５°）を維持するように、前記透光性カバー１１０、１２０、１３０が画面表示部１１に設けられることを特徴とする。
【００３７】
より好ましくは、前記画面表示部１１に対して前記透光性カバー１１０、１２０、１３０の側面１１０ｂ、１２０ｂ、１３０ｂがなす角度βが１０３．３°となるように、前記透光性カバー１１０、１２０、１３０が画面表示部１１に設けられることを特徴とする。
【００３８】
これによると、最外角の視線角内で、利用者がディスプレイ装置を見ると、ベゼル１２が目立たないのみならず、画面表示部１１の画面が側面１１０ｂ、１２０ｂ、１３０ｂで反射され、利用者の肉眼に入射されるので、まるで側面１１０ｂ、１２０ｂ、１３０ｂにも画面が表示されるように視覚的に見え、その結果、ディスプレイ装置の全体にわたって画面の断絶がないように認識されるようになる。
【００３９】
前記透光性カバー１１０、１２０、１３０は、例えば、アクリル樹脂、ガラス、水晶等で具現されることが好ましいが、光を透過する透光性材質であれば、勿論、全て本願発明の技術的範囲に属するものである。
【００４０】
前記透光性カバー１１０、１２０、１３０において、側面１１０ｂ、１２０ｂ、１３０ｂには全反射が容易に起こるように、反射物質がコートされていることを特徴とする。
【００４１】
反射コーティングは、側面に直接コートされてもよく、またはコーティングフィルムを接着してもよく、反射のために行うコーティング物質は、出願前に公知された多様な構成を用いてもよい。
【００４２】
一方、前記透光性カバー１１０、１２０、１３０は、例えば、公知の接着部材（例えば、透明接着剤等）や公知のハンガーのような多様な公知の締結手段または結合手段により画面表示部１１に設けられてもよい。
【００４３】
図２と図３に示した本発明の第１実施例による透光性カバー１１０は、背面１１０ａが画面表示部１１に接触するように、前面１１０ｃと背面１１０ａは平らに形成されている。
【００４４】
図４乃至図７に示した本発明の第２、３実施例による透光性カバー１２０、１３０は、背面１２０ａ、１３０ａが画面表示部１１に接さずに離隔するように、背面１２０ａ、１３０ａが前方側に凹んで形成され、前面１２０ｃ、１３０ｃが前方側に膨らんで形成されることを特徴とする。
【００４５】
したがって、透光性カバー１２０、１３０と画面表示部１１との間には、離隔空間Ｓａ、Ｓｂが形成される。
【００４６】
図４及び図５に示した本発明の第２実施例によるベゼルの目立たない透光性カバーを備えたマルチスクリーンディスプレイ装置において、透光性カバー１２０の背面１２０ａの外側には、背面傾斜部１２０ａ‐１が前方に面状傾斜して形成され、前記背面傾斜部１２０ａ‐１から内側に折り曲げられ、背面平坦部１２０ａ‐２が平坦形成されている。このように背面傾斜部１２０ａ‐１と背面平坦部１２０ａ‐２が形成されることにより、画面表示部１１と透光性カバー１２０の背面１２０ａとの間には、離隔空間Ｓａが形成される。
【００４７】
また、前記透光性カバー１２０の前面１２０ｃの外側には、前面傾斜部１２０ｃ‐１が前方に面状傾斜して形成され、前記前面傾斜部１２０ｃ‐１から内側に折り曲げられ、前面平坦部１２０ｃ‐２が平坦形成されている。
【００４８】
図６及び図７に示すように、本発明の第３実施例によるベゼルの目立たない透光性カバーを備えたマルチスクリーンディスプレイ装置において、前記透光性カバーの前面１３０ｃと背面１３０ａが曲面状に湾曲して前方側に膨らんで形成され、前記画面表示部１１と前記透光性カバー１３０の背面１３０ａとの間には、離隔空間Ｓｂが形成されていることを特徴とする。
【００４９】
このように第２、３実施例による透光性カバー１２０、１３０は、第１実施例による透光性カバー１１０とはその形状的な構成が異なり、さらに進歩的な技術的特徴を有しているが、これについて説明する。
【００５０】
本願発明の第２、３実施例による透光性カバー１２０、１３０の場合、透光性カバー１２０の背面傾斜部１２０ａ‐１と透光性カバー１３０の背面１３０ａ（厳密に言うと、背面１３０ａの接線）が、それぞれ画面表示部１１に対してαの角で傾斜形成され、透光性カバー１２０の前面傾斜部１２０ｃ‐１と透光性カバー１３０の前面１３０ｃ（厳密に言うと、前面１３０ｃの接線）が、それぞれγの角で傾斜形成されていることを特徴とし、これによると、アルファ角及びベータ角に比例して、最外角の視野角の範囲がちょうど中央（視線角θ＝９０°）を基準として広くなる技術的利点が発生する。
【００５１】
このように最外角の視野角の範囲が広くなるのは、第２、３実施例による透光性カバー１２０、１３０と、第１実施例による透光性カバー１１０において、光の屈折される角度が異なるからであるが（スネルの屈折の法則）、以下、図９と図１０を参照して、これについて詳述する。
【００５２】
図９と図１０には、図面の複雑さを避けるために、第２実施例による透光性カバー１２０を例示的に示しているが、第３実施例による透光性カバー１３０の場合も、前面がガンマ角だけ折り曲げられ、背面がアルファ角だけ折り曲げられているので、第２の実施例による透光性カバー１２０と同様に適用可能であり、以下、第３の実施例による透光性カバー１３０の場合も一緒に説明する。
【００５３】
先ず、図９を参照して、透光性カバー１２０の前面傾斜部１２０ｃ‐１がガンマ角だけ折り曲げられ、透光性カバー１３０の前面１３０ｃがカンマ角だけ折り曲げられることにより、視野角が大きくなる理由について説明する。
【００５４】
通常、空気の屈折率は１．０００３９であり、透光性カバー１１０、１２０、１３０は、透明アクリルの場合、屈折率＝１．４９であり、透明ＰＣ（ｐｏｌｙ  ｃａｒｂｏｎａｔｅ）の場合、屈折率＝１．５３であり、透明ガラスの場合、屈折率＝１．５２３である。
【００５５】
また、同一の方向から第２、３実施例の透光性カバー１２０、１３０と、第１実施例の透光性カバー１１０を見る場合、すなわち、視線角θが同一である場合、第１実施例による透光性カバー１１０は、境界点Ｐ１に入射され、入射角がλ１ｉｎであり、屈折角がλ１ｏｕｔとなる。
【００５６】
これに対して、第２、３実施例による透光性カバー１２０、１３０は、前面傾斜部１２０ｃ‐１と前面１３０ｃがガンマ角だけ折り曲げられているので、境界点Ｐ２に入射され、入射角がλ１ｉｎ＋γとなり、屈折角（λ２ｏｕｔ）も、第１実施例による透光性カバー１１０のもの（λ１ｏｕｔ）よりもさらに大きくなる。
【００５７】
したがって、第２、３実施例による透光性カバー１２０、１３０は、前面傾斜部１２０ｃ‐１と前面１３０ｃが折り曲げられた角度γに比例し、またはｄ１−ｄ２の大きさに比例して、最外角の視線角の範囲がちょうど中央（視線角θ＝９０°）を基準として広くなる。
【００５８】
次に、図１０を参照して、透光性カバー１２０の背面傾斜部１２０ａ‐１がアルファ角だけ折り曲げられ、透光性カバー１３０の背面１３０ａがガンマ角だけ折り曲げられることにより、最外角の視野角の範囲がちょうど中央（視線角θ＝９０°）を基準として広くなる理由について説明する。
【００５９】
図１０に示すように、第１実施例の透光性カバー１１０は、側面１１０ｂで反射された光は屈折がないが、第２、３実施例の場合、透光性カバー１２０、１３０の側面１２０ｂ、１３０ｂで反射される光は、背面傾斜部１２０ａ‐１と背面１３０ａでそれぞれ屈折され、このため、画面表示部１１のさらに多くの領域が反射されて見えるので、最外角の視線角の範囲がちょうど中央（視線角θ＝９０°）を基準としてさらに広くなって見えることである。
【００６０】
結論的に、第２、３実施例による透光性カバー１２０、１３０は、前面傾斜部１２０ｃ‐１と前面１３０ｃがガンマ角だけ折り曲げられることにより、視野角の範囲がさらに広くなり、これに加えて背面傾斜部１２０ａ‐１と背面１３０ａがアルファ角だけ折り曲げられると、それほど視野角の範囲がさらに広くなることである。
【００６１】
図８は、本発明の第３実施例によるベゼルの目立たない透光性カバー１３０のモデリングを示した底面斜視図であるが、第２実施例による透光性カバー１２０の場合も、全体の形状は、図８の形状と類似している。
【００６２】
本発明の第２実施例によるベゼルの目立たない透光性カバーを備えたマルチスクリーン装置において、前記画面表示部１１に対して前記透光性カバー１２０の側面１２０ｂがなす角度βと、前記画面表示部１１に対して前記透光性カバー１２０の背面１２０ａの背面傾斜部１２０ａ‐１がなす角度αと、前記画面表示部１１に対して前記透光性カバー１２０の前面１２０ｃの前面傾斜部１２０ｃ‐１がなす角度γと、利用者が画面を見る角度（視線角θ）との和が１８０〜２６０゜を維持するように、前記透光性カバー１２０が前記画面表示部１１に設けられることを特徴とする。
【００６３】
同様に、図６及び図７に示すように、本発明の第３の実施例によるベゼルの目立たない透光性カバーを備えたマルチスクリーンディスプレイ装置において、前記画面表示部１１に対して前記透光性カバー１３０の側面１３０ｂがなす角度βと、前記画面表示部１１に対して前記透光性カバー１３０の背面１３０ａがなす角度αと、前記画面表示部１１に対して前記透光性カバー１３０の前面１３０ｃがなす角度γと、利用者が画面を見る角度（視線角θ）との和が１８０〜２６０°を維持するように、前記透光性カバー１３０が前記画面表示部１１に設けられることを特徴とする。
【００６４】
前記画面表示部１１に対して透光性カバー１３０の背面１３０ａがなす角度αというのは、厳密に言うと、透光性カバー１３０の背面１３０ａの接線と画面表示部１１とがなす角度をいい、前記画面表示部１１に対して透光性カバー１３０の前面１３０ｃがなす角度γというのは、厳密に言うと、透光性カバー１３０の前面１３０ｃの接線と画面表示部１１とがなす角度をいうものである。
【００６５】
このように第２、３実施例による透光性カバー１２０、１３０の場合、側面１２０ｂ、１３０ｂがなす角度βと、背面傾斜部１２０ａ‐１がなす角度αと、前面傾斜部１２０ｃ‐１がなす角度γと、利用者が画面を見る角度（視線角）との和が１８０〜２６０°を維持するように角度の範囲を限定する根拠は、側面の角度β値が９５〜１２５°を基準として、映像を透過しまたは映像が見えない最適の実験データ値を長い試行錯誤を経ながら見出し、そのそれぞれの値は、アルファ角：１３．３°、ベータ角：１０３．３°、ガンマ角：１３．３°、視線角θ：９０°であった。
【００６６】
また、アルファ角＋ベータ角＋ガンマ角＋視線角＝２１９．９°≒２２０°を基準として、視線角θの値を、＋４０°〜−４０°（符号（−）は、方向が反時計方向であることを意味する）を考慮して１８０〜２６０°と定めている。
【００６７】
また、本発明の第２実施例によるベゼルの目立たない透光性カバーを備えたマルチスクリーンディスプレイ装置において、前記画面表示部１１に対して前記透光性カバー１２０の前面１２０ｃの前面傾斜部１２０ｃ‐１がなす角度γが０°よりは大きく４５°以下（０°＜γ≦４５°）となるように、前記透光性カバー１２０が画面表示部１１に設けられる。
【００６８】
より好ましくは、前記画面表示部１１に対して前記透光性カバー１２０の前面１２０ｃの前面傾斜部１２０ｃ‐１がなす角度γは、１３．３°となるように、前記透光性カバー１２０が画面表示部１１に設けられる。
【００６９】
また、前記画面表示部１１に対して前記透光性カバー１２０の背面１２０ａの背面傾斜部１２０ａ‐１がなす角度αが０°よりは大きく４５°以下（０°＜α≦４５°）となるように、前記透光性カバー１２０が画面表示部１１に設けられる。
【００７０】
より好ましくは、前記画面表示部１１に対して前記透光性カバー１２０の背面１２０ａの背面傾斜部１２０ａ‐１がなす角度αは、１３．３°となるように、前記透光性カバー１２０が画面表示部１１に設けられる。
【００７１】
同様に、図６及び図７に示すように、本発明の第３実施例によるベゼルの目立たない透光性カバーを備えたマルチスクリーンディスプレイ装置において、前記画面表示部１１に対して透光性カバー１３０の前面１３０ｃがなす角度γが０°＜γ≦４５°となるように、前記透光性カバー１３０が前記画面表示部１１に設けられる。
【００７２】
より好ましくは、前記画面表示部１１に対して前記透光性カバー１３０の前面１３０ｃがなす角度γは、１３．３°となるように、前記透光性カバー１３０が前記画面表示部１１に設けられる。
【００７３】
前記画面表示部１１に対して透光性カバー１３０の背面１３０ａがなす角度αが０°＜γ≦４５°となるように、前記透光性カバー１３０が前記画面表示部１１に設けられる。
【００７４】
より好ましくは、前記画面表示部１１に対して前記透光性カバー１３０の背面１３０ａがなす角度αは、１３．３°となるように、前記透光性カバー１３０が前記画面表示部１１に設けられる。
【００７５】
このような構成によると、特定の角度（例えば、最外角の視線角）以内で、利用者がディスプレイ装置を見る場合、ベゼル１２が目立たないのみならず、側面１２０ｂ、１３０ｂには、画面表示部１１の画面の絵が反射されて見えるので、ベゼルのある領域を含めてディスプレイ装置の全体にわたって画面が断絶されずに見えるので、利用者は、まるでディスプレイ装置の全体に正常的に画面が表示されるように視覚的に認識することになる。
【００７６】
若し、最外角の視線角から外れてディスプレイ装置を見るか、または上記角度α、β、γの条件を満たさないように、透光性カバー１２０、１３０が画面表示部１１に設けられると、側面１２０ｂ、１３０ｂには、画面表示部１１の画面が反射されず、このため画面表示部１１の画面が反射された映像が見えないようになり、側面１２０ｂ、１３０ｂには反射映像が表示されない（図１４、図１６参照）。
【００７７】
次に、このような構成を有する本発明の一実施例によるベゼルの目立たない透光性カバーを備えたマルチスクリーンディスプレイ装置の作用について説明する。
【００７８】
図３には、図２の要部拡大図及び光路が、図５には、図４の要部拡大図及び光路が、図７には、図６の要部拡大図及び光路が開示されている。
【００７９】
すなわち、画面表示部１１の映像が側面１１０ｂ、１２０ｂ、１３０ｂで反射され、利用者の肉眼に入射される光の経路が、図３、図５、図７に示されているが、最外角の視線角（例えば、３０°、１８０°−３０°）内で、利用者が透光性カバー１１０、１２０、１３０の側面１１０ｂ、１２０ｂ、１３０ｂを見ると、光路に表示されたように、画面表示部１１の画面が反射された映像を見ることになる。
【００８０】
以下、図１１乃至図１６に示した実験写真を通じて、本発明の一実施例による透光性カバー１１０、１２０、１３０によってベゼル１２が目立たなくなり、またディスプレイ装置の全体にわたって映像が断絶されないという本願発明特有の効果について説明する。
【００８１】
図１１は、本発明の一実施例によるベゼルの目立たない透光性カバー１１０、１２０、１３０のない状態で、テスト用ベゼル１２と画面表示部１１を示した写真である。
【００８２】
図１２は、図１１において、本発明の一実施例によるベゼルの目立たない透光性カバー１１０、１２０、１３０を、ベゼル１２を中心として１対配置した場合の写真であって、利用者が視線角θ＝９０°の位置（ちょうど中央の位置）から見ている場合であるが、ベゼル１２は目立たなく、また画面表示部１１の画面が、透光性カバー１１０、１２０、１３０の側面１１０ｂ、１２０ｂ、１３０ｂで、鏡面対称（ｍｉｒｒｏｒ  ｓｙｍｍｅｔｒｙ）で反射されていることが確認できる。
【００８３】
図１３は、図１２において、利用者が右側（−ｘ軸方向）に約３０°傾けて見る場合であって（このため、視線角θは、約１２０°となる）、ベゼル１２が依然として目立たなく、また側面１１０ｂ、１２０ｂ、１３０ｂには依然として画面表示部１１の映像が反射されて見えていることがわかる。
【００８４】
図１４は、図１３において、利用者がちょうど中央の位置から右側にさらに傾けて最外角の視線角（例えば、１８０°−３０°＝１５０°）から外れて見る場合の写真であって、ベゼル１２は依然として目立たないが、側面１１０ｂ、１２０ｂ、１３０ｂには、画面表示部１１の画面（映像）が反射された絵が表示されず、透光性カバー１１０、１２０、１３０固有の材質から出る色感が現れることが確認できるが、この場合は、ベゼル１２は目立たないが、ディスプレイ装置の全体的にみると、映像は、透光性カバー１１０、１２０、１３０固有の材質から出る色感により断絶されたものと見える。
【００８５】
図１５は、図１３の対称的角度から見える写真であるが、図１３と同様に、ベゼルは目立たなく、側面１１０ｂ、１２０ｂ、１３０ｂには画面表示部の映像が反射された画面が見える。
【００８６】
図１６は、図１４の対称的角度から見える写真（ｘ軸方向から見た写真）であるが、最外角の視線角（ｘ軸方向から見る場合であるので、最外角の視線角は３０°となる）から外れて見る場合（例えば、０°＜視線角θ＜３０°）であって、ベゼル１２は依然として目立たないが、側面１１０ｂ、１２０ｂ、１３０ｂには画面表示部１１の画面（映像）が反射された絵が現れず、透光性カバー１１０、１２０、１３０固有の材質から出る色感が現れることが確認できる。
【００８７】
実験写真から確認できるように、利用者が最外角の視線角内の範囲で、画面表示部１１を見ると、図１２、図１３、図１５に示すように、画面表示部１１の映像が側面１１０ｂ、１２０ｂ、１３０ｂで反射され、利用者が側面１１０ｂ、１２０ｂ、１３０ｂを見ると、画面表示部１１の映像が反射された映像を見ることになるので、まるで側面１１０ｂ、１２０ｂ、１３０ｂにも正常の実態の映像が表示されるように視覚的に認識することになり、ディスプレイ装置の全体領域からみると、映像の断絶が全くないように見えることである。
【００８８】
また、利用者が最外角の視線角［上記した例の３０°と１５０°（＝１８０°−３０°）］から外れて画面表示部を見ると（０°＜視線角θ＜３０°または１５０°＜視線角θ＜１８０°）、ベゼルは目立たないが、画面表示部の映像が側面１１０ｂ、１２０ｂ、１３０ｂで反射された反射映像が見られず、透光性カバー１１０、１２０、１３０固有の材質から出る色感によって画面が断絶されることが確認できる。
【００８９】
本願発明の一実施例による透光性カバー１１０、１２０、１３０を画面表示部１１に配置すると、ベゼルは目立たないが、これは、ベゼル１２が、１対の透光性カバー１１０、１２０、１３０の対向する側面１１０ｂ、１２０ｂ、１３０ｂが形成する空間部Ｓ１内に位置すると、１対の透光性カバー１１０、１２０、１３０がまるで導波管の役割をし、ベゼル１２から出る光は、導波管の役割をする透光性カバー１１０、１２０、１３０に沿って伝播され、透光性カバー１１０、１２０、１３０の側方ではなく前方に位置した利用者の目に入射されないので、利用者は、空間部Ｓ１内のベゼル１２を視覚的に認識しないからでもある。
【００９０】
一方、図１７及び図１８は、本願発明の一実施例によるベゼルの目立たない透光性カバーが、実際に画面が表示されるマルチスクリーンディスプレイ装置に設けられる場合、ベゼルが目立たなくなる技術的効果を示すための写真である。
【００９１】
図１７は、一般のマルチスクリーンディスプレイ装置が動作して画面表示部に映像が表示されている状態の写真であるが、本発明の一実施例によるベゼルの目立たない透光性カバーが設けられておらず、ベゼルが鮮明に見えていることが確認できる。
【００９２】
図１８は、図１７に示した画面が表示されるマルチスクリーンディスプレイ装置に、単に、本発明の一実施例による透光性カバーのみを画面表示部に配置した状態の写真であって、この場合は、ベゼルが目立たないことが確認できる。
【００９３】
以上、本発明による好適な実施例について説明したが、上述した実施例以外にも、本発明が、その趣旨や範疇から外れない範囲内で、他の特定の形態で具体化され得るというのは、当該技術の分野における通常の知識を有する者にとって自明なことである。
【００９４】
したがって、上述した実施例は、制限的なものではなく、例示的なものと見なされなければならず、本発明は、上述した説明に限定されず、添付の請求項の範疇及びその同等な範囲内で変更されてもよい。
【符号の説明】
【００９５】
１１    画面表示部
１２    ベゼル
１１０、１２０、１３０    本発明の第１、２、３実施例による透光性カバー
１１０ａ、１２０ａ、１３０ａ    透光性カバーの背面
１１０ｂ、１２０ｂ、１３０ｂ    透光性カバーの側面
１１０ｃ、１２０ｃ、１３０ｃ    透光性カバーの前面
１１０ｃ’、１２０ｃ’、１３０ｃ’    透光性カバーの前面の外周縁
【図１】
2017501433.tif 000003
【図２】
2017501433.tif 000004
【図３】
2017501433.tif 000005
【図４】
2017501433.tif 000006
【図５】
2017501433.tif 000007
【図６】
2017501433.tif 000008
【図７】
2017501433.tif 000009
【図８】
2017501433.tif 000010
【図９】
2017501433.tif 000011
【図１０】
2017501433.tif 000012
【図１１】
2017501433.tif 000013
【図１２】
2017501433.tif 000014
【図１３】
2017501433.tif 000015
【図１４】
2017501433.tif 000016
【図１５】
2017501433.tif 000017
【図１６】
2017501433.tif 000018
【図１７】
2017501433.tif 000019
【図１８】
2017501433.tif 000020
【国際調査報告】
2017501433.tif 000021
2017501433.tif 000022
2017501433.tif 000023
2017501433.tif 000024